【事件の表示】
　特願２００１−１７１５５２「文字変換方法」拒絶査定不服審判事件〔平成１４年１２月２０日出願公開、特開２００２−３６６２８９〕について、次のとおり審決する。
【結　論】
　本件審判の請求は、成り立たない。
【理　由】
第１．手続の経緯
　本願は、平成１３年６月６日の出願であって、平成２１年１２月１５日付けで拒絶理由が通知され、これに対し、平成２２年２月１６日に手続補正がなされたが、平成２２年７月２日付けで最後の拒絶理由が通知され、さらにこれに対し、平成２２年９月６日に手続補正がなされたが、平成２３年５月１７日付けで平成２２年９月６日の手続補正に対し補正却下の決定がなされるとともに、同日付けで拒絶査定され、これに対し、平成２３年８月２２日に拒絶査定不服の審判が請求されるとともに、同時に手続補正がされたものである。
　
第２．平成２３年８月２２日付けの手続補正書についての補正の却下の決定
　
[補正却下の決定の結論]
　平成２３年８月２２日付けの手続補正（以下、「本件補正」という）による補正を却下する。
　
[理由]
１．本件補正前及び本件補正後の本願発明
　本件補正は、特許請求の範囲及び明細書についてするもので、特許請求の範囲については本件補正前の請求項１乃至６を削除するとともに、本件補正前の請求項７を次の（１）〜（４）のとおりに補正して新たな請求項１とするものである。
　
（１）本件補正前の請求項７に「複数の文字」とあったところを「複数のかな文字」と限定し、
（２）本件補正前の請求項７に「入力文字」とあったところを「入力かな文字」と限定し、
（３）本件補正前の請求項７に「他の文字に切り替える」とあったところを「他のかな文字に切り替える」と限定し、
（４）本件補正前の請求項７に「関連文字」とあったところを「関連かな文字」と限定する。
　よって、本件補正は、特許法第１７条の２第４項第２号（特許請求の範囲の減縮）に掲げる事項を目的とするものである。
　
　そこで、本件補正後の特許請求の範囲に記載されている事項により特定される発明が、特許出願の際独立して特許を受けることができるものであるか（特許法第１７条の２第５項において準用する同法第１２６条第５項に規定する要件を満たすか）否かを、請求項１に係る発明（以下、「本願補正発明」という。）について以下に検討する。
　
　本願補正発明は、次のとおりのものである。
「複数のかな文字が割り当てられた文字入力可能な入力キーと、
　前記入力キーの操作によって入力された入力かな文字を、さらなる当該入力キーの短操作が生じると、当該入力キーに割り当てられた複数のかな文字の内の他のかな文字に切り替える処理手段と、を備えた携帯端末における文字変換方法であって、
　前記入力キーが長操作されると、入力される所定の入力かな文字を当該所定の入力かな文字を基礎とする関連かな文字に変換して入力する過程を含むことを特徴とする文字変換方法。」
　
２．引用発明
　原査定の拒絶理由に引用された国際公開第９９／０６５２１２号（以下、「引用例」という。）には図面とともに以下の技術事項が記載されている。
ａ．「DETAILED DESCRIPTION OF THE PREFERRED EMBODIMENTS
　
　The present invention provides a technique for controlling the upper and lowercase configuration of alphanumeric text characters. While the following description is directed primarily to the control of text characters in a cellular telephone communication system, it is clear that the principles of the present invention may be readily extended to any wireless communication system.」（第３頁第１行〜第８行の記載。）（当審訳：好適な実施形態の詳細な説明
　
当該発明は、英数字テキスト文字の大文字及び小文字形状を制御する技術を提供する。以下の説明は携帯電話通信システムのテキスト文字の制御に関するものであるので、当該発明の原理がいかなる無線通信システムにも拡張可能であることは明確である。）
　
ｂ．「The system 100, which is typically embodied in a wireless communication device such as a cellular telephone, also includes a housing 106 that contains a transmitter 108 and a receiver 110 to allow transmission and reception of data, such as audio communications, between the system 100 and a remote location, such as a cell site controller (not shown). The transmitter 108 and receiver 110 may be combined into a transceiver 112. An antenna 114 is attached to the housing 106 and electrically coupled to the transceiver 112. The operation of the transmitter 108, receiver 110, and antenna 114 is well known in the art and need not be described herein.
　
　A keypad 118 is attached to the housing 106 for operation by the user in a conventional manner. As will be described below, the keypad 118 provides a convenient input device by which destination telephone numbers and alphanumeric text may be entered by the user. The keypad 118 also includes one or more scroll buttons 120 that assist the user in the operation of the wireless communication device.」（第４頁第９行〜第２３行の記載。）（当審訳：システム１００は携帯電話のような無線通信装置に具体的に例示され、送信機１０８及び受信機１１０を含むハウジング１０６を有し、システム１００と（不図示の）制御局などの遠隔地との間で音声通信などのデータの送信と受信を行うことを可能とする。送信機１０８と受信機１１０はトランシーバ１１２の中に組み合わされることができる。アンテナ１１４はハウジング１０６に取り付けられ、トランシーバ１１２と電気的に結合される。送信機１０８、受信機１１０、及び、アンテナ１１４の働きは当該技術分野において周知であって、ここでは説明されない。
　ユーザによる操作のためにキーパッド１１８は周知の方法によってハウジング１０６に取り付けられている。後述するように、キーバッド１１８は発信先の電話番号や英数字のテキストをユーザが入力するのに好適な入力装置を提供する。キーパッド１１８はユーザが無線通信装置を操作するのを補助する１つ以上のスクロールボタン１２０を有している。）
　
ｃ．「The system 100 allows the entry of text data using the keypad 118. A detailed illustration of a portion of the keypad 118 is illustrated in FIG. 1B. For the sake of clarity, some keys such as a SEND key and the scroll keys 120, are not shown in FIG. 1B. The keypad 118 includes ten numeric keys with the digits 0-9 as well as a * key and a # key. The digits 0 and 1 on the keypad 118 have no associated alphabetic characters. However, the numeric keys 2-9 each have three or more alphabetic characters associated with it. For example, the numeric key 2 is associated with the alphabetic characters ABC, while the numeric key 3 is associated with the alphabetic characters DEF. In some wireless communication device, the alphabetic characters Q and Z are not shown on the numeric keys of the keypad 118. In the exemplary embodiment shown in FIG. 1B, the alphabetic characters Q and Z are shown on the numeric keys 7 and 9, respectively.
　
　The user enters the desired text by enabling a text entry or edit mode, such as a phone book entry mode, in a conventional fashion. The data itself is entered by activating the numeric keys of the keypad 118 one or more times corresponding to the desired numeric or alphabetic character. For example, the user may enter the alphabetic character A by pressing the numeric key 2 a single time. The user can enter the alphabetic character B by rapidly pressing the numeric key 2 two times. Similarly, the user enters the alphabetic character C by rapidly pressing the numeric key 2 three times. The user can enter the digit 2 by rapidly pressing the numeric key 2 four times. Thus, the user selects a current character by rapidly pressing a selected numeric key one or more times.」（第５頁第１６行〜第６頁第６行の記載。）（当審訳：システム１００はキーパッド１１８を用いたテキスト情報の入力を可能とする。図１Ｂにはキーパッド１１８の一部の詳細な図面が示されている。分かりやすくするために、「ＳＥＮＤ」キーやスクロールキー１２０などのいくつかのキーは図１Ｂには示されていない。キーパッド１１８は０から９の数字の付された１０個の数字キーと共に、「＊」キーと「＃」キーを含んでいる。キーパッド１１８の０と１はアルファベット文字が関連付けられていない。しかしながら、２から９の数字キーにはそれぞれ３つ以上のアルファベット文字が関連付けられている。例えば、数字キー２にはアルファベット文字「ＡＢＣ」が関連付けられ、数字キー３にはアルファベット文字「ＤＥＦ」が関連付けられている。いくつかの無線通信装置では、アルファベット文字「Ｑ」と「Ｚ」はキーパッド１１８の数字キーには現れない。図１Ｂに示された典型例では、アルファベット文字「Ｑ」と「Ｚ」は、それぞれ数字キー７と９に現れる。
　ユーザはテキスト項目をイネーブルするか従来の形式の電話帳入力モードなどの編集モードによって所望のテキストを入力する。データそれ自身は、所望の数字又はアルファベット文字に関連付けられたキーパッド１１８の数字キーを１回以上アクティベートすることによって入力される。例えば、ユーザは数字キー２を１回押すことによってアルファベット文字「Ａ」を入力できる。ユーザは数字キー２を素早く２回押すことによってアルファベット文字「Ｂ」を入力できる。同様にユーザは数字キー２を素早く３回押すことによってアルファベット文字「Ｃ」を入力する。。ユーザは数字キー２を素早く４回押すことによって数字「２」を入力できる。このように、ユーザは選択したキーを素早く１回又はそれ以上の回数押すことによって現在の文字を選択することが出来る。）
　
ｄ．「The system 100 uses the timer 130 to determine whether or not to change the text of the alphabetic characters. If the user presses a selected numeric key several times in quick succession, the system 100 alters the selected alphabetic character based on the number of times that the numeric key is pressed. However, if the user presses and holds the numeric key for a threshold time period, referred to herein as a character case threshold time period, the system 100 will change the case of the current alphabetic character. In an exemplary embodiment, the default case for alphabetic characters is lowercase. In this embodiment, the user enters lowercase alphabetic characters simply by pressing the desired numeric key the appropriate number of times in quick succession in the manner described above. If the user depresses and holds the numeric key in a depressed position for greater than the character case threshold time period, the system 100 automatically changes the current character to an uppercase character. The user selects the desired uppercase character in the conventional manner (i.e., by pressing the desired numeric key the appropriate number of times in quick succession). Alternatively, the default case for the alphabetic characters may be upper case. In this embodiment, the system 100 automatically changes the current character to a lowercase character when the user depresses and holds a numeric key for greater than the character case threshold time period.」（第８頁第１２行〜第３１行の記載。）（当審訳：システム１００はアルファベット文字のテキストを変更するか否かを決定するためにタイマー１３０を用いる。ユーザが所望の数字キーを短い時間間隔で続けて複数回押すと、システム１００は選択されたアルファベット文字を数字キーが押された回数に基づいて置き換える。しかしながら、ユーザが数字キーを所定のしきい値（以下「文字ケースしきい値」と呼ぶ）の時間押したまま保持した場合、システムは現在のアルファベット文字の文字ケースを変更する。ある典型例では、デフォルトのアルファベット文字の文字ケースは小文字である。この実施例では、ユーザは単に所望の数字キーを上述のように短い時間間隔で適切な回数押すことにより小文字のアルファベット文字を入力する。ユーザが数字キーを押下げて押下げた位置で文字ケースしきい値より大きい時間保持した場合、システム１００は現在の文字を自動的に大文字に変更する。ユーザは従来の方法で所望の大文字を選択する（例えば、所望の数字キーを短い時間間隔で素早く適切な回数押下する方法など。）。別の方法として、アルファベット文字のデフォルトの文字ケースを大文字とすることも可能である。この場合、ユーザが数字キーを文字ケースしきい値の時間より長い時間保持した際に、システム１００は現在の文字を自動的に小文字に変更する。）
　
ｅ．「In an exemplary embodiment, the system 100 displays the current character on the display 122. In the example given above, the display 122 will display the lowercase alphabetic character a in response to the user pressing the numeric key 2 the first time. It should be noted that the user may press and hold the numeric key 2 in the depressed position for a period of time greater than the character case threshold time period. In this case, the display 122 would show an uppercase A. When the user presses the numeric key 2 a second time, the display now shows a lowercase alphabetic b. If the first press of the numeric key 2 was for a time period less than the character case threshold time period or an uppercase alphabetic character B if the first press of the numeric key was for a period of time greater than the character case threshold time period. Thus, the system 100 provides visual queues to the user to assist in entering alphanumeric text into the data storage area 126.」（第８頁第３２行〜第９頁第１１行の記載。）（当審訳：ある実施例では、システム１００は現在の文字をディスプレイ１２２に表示する。上で与えられた例においては、ユーザが数字キー２を最初に押下したことに応じて、ディスプレイ１２２はアルファベット文字「ａ」を表示する。ただし、ユーザが数字キー２を押下げて押下げた位置で文字ケースしきい値より大きい時間保持することができることを注意すべきである。この場合、ディスプレイ１２２は大文字の「Ａ」を表示するであろう。ユーザが数字キー２を２回目に押下したとき、数字キー２の最初の押下が文字ケースしきい値の時間より短い時間であれば、今度はディスプレイは小文字のアルファベット「ｂ」を表示する。また、数字キーの最初の押下が文字ケースしきい値の時間より長い時間であった場合には、大文字のアルファベット文字「Ｂ」となる。そうして、システム１００はユーザが英数字のテキストをデータ記憶領域１２６に入力することを補助する可視的なキューを提供する。）
　
　上記引用例記載事項及び図面の記載を総合勘案すると、上記引用例には以下の発明（以下、「引用発明」という。）が記載されているものと認められる。
＜引用発明＞
「英数字テキスト文字の大文字及び小文字形状を制御する技術であって、
　携帯電話のような無線通信装置に具体的に例示されるものであり、
　システム１００は送信機１０８及び受信機１１０を含むハウジング１０６を有し、
　ユーザによる操作のためにキーパッド１１８はハウジング１０６に取り付けられ、
　キーパッド１１８を用いたテキスト情報の入力が可能であり、
　キーパッド１１８は０から９の数字の付された１０個の数字キーを含んでおり、
　２から９の数字キーにはそれぞれ３つ以上のアルファベット文字が関連付けられ、
　データそれ自身は、所望の数字又はアルファベット文字に関連付けられたキーパッド１１８の数字キーを１回以上アクティベートすることによって入力され、
　ユーザが所望の数字キーを短い時間間隔で続けて複数回押すと、システム１００は選択されたアルファベット文字を数字キーが押された回数に基づいて置き換え、
　ユーザが数字キーを文字ケースしきい値の時間押したまま保持した場合、システムは現在のアルファベット文字の文字ケースを変更し、
　システム１００は現在の文字をディスプレイ１２２に表示し、
　ユーザが数字キー２を最初に押下したことに応じて、ディスプレイ１２２はアルファベット文字「ａ」を表示し、
　ユーザが数字キー２を押下げて、押下げた位置で文字ケースしきい値より大きい時間保持することができ、この場合、ディスプレイ１２２は大文字の「Ａ」を表示し、
　ユーザが数字キー２を２回目に押下したとき、数字キー２の最初の押下が文字ケースしきい値の時間より短い時間であれば、ディスプレイは小文字のアルファベット「ｂ」を表示し、数字キーの最初の押下が文字ケースしきい値の時間より長い時間であった場合には大文字のアルファベット文字「Ｂ」となる
　ことを特徴とする携帯電話通信システムのテキスト文字の制御方法。」
　
３．対比・判断
　本願補正発明と引用発明とを対比する。
（３−１）引用発明の「携帯電話」は本願補正発明の「携帯端末」に相当する。
（３−２）引用発明の「キーパッド１１８を用いたテキスト情報の入力が可能であ」る点、「キーパッド１１８は０から９の数字の付された１０個の数字キーを含んで」いる点、及び、「２から９の数字キーにはそれぞれ３以上のアルファベット文字が関連付けられ」ている点と、本願補正発明の「複数のかな文字が割り当てられた文字入力可能な入力キー」とは、「複数の文字が割り当てられた文字入力可能な入力キー」を備える点で共通する。
（３−３）引用発明の「２から９の数字キーにはそれぞれ３つ以上のアルファベット文字が関連付けられ」ている点、「データそれ自身は、所望の数字又はアルファベット文字に関連付けられたキーパッド１１８の数字キーを１回以上アクティベートすることによって入力」される点、及び、「ユーザが所望の数字キーを短い時間間隔で続けて複数回押すと、システム１００は選択されたアルファベット文字を数字キーが押された回数に基づいて置き換え」る点と、本願補正発明の「前記入力キーの操作によって入力された入力かな文字を、さらなる当該入力キーの短操作が生じると、当該入力キーに割り当てられた複数のかな文字の内の他のかな文字に切り替える」点とは、「入力キーの操作によって入力された入力文字を、さらなる当該入力キーの短操作が生じると、当該入力キーに割り当てられた複数の文字の内の他の文字に切り替える」点で共通する。
（３−４）引用発明の「システム１００」は本願補正発明の「処理手段」に相当する。
（３−５）引用発明の「ユーザが数字キーを文字ケースしきい値の時間押したまま保持した場合、システムは現在のアルファベット文字の文字ケースを変更」する点、及び、「ユーザが数字キー２を押下げて、押下げた位置で文字ケースしきい値より大きい時間保持することができ、この場合、ディスプレイ１２２は大文字の「Ａ」を表示」する点と、本願補正発明の「前記入力キーが長操作されると、入力される所定の入力かな文字を当該所定の入力かな文字を基礎とする関連かな文字に変換して入力する」点とは、「入力キーが長操作されると、入力される所定の入力文字を当該所定の入力文字に関連する文字に変換して入力する」点で共通する。
（３−６）引用発明の「テキスト文字の制御方法」は本願補正発明の「文字変換方法」に相当する。
　
　したがって、本願補正発明と引用発明とは、次の点で一致する。
＜一致点＞
「複数の文字が割り当てられた文字入力可能な入力キーと、
　前記入力キーの操作によって入力された入力文字を、さらなる当該入力キーの短操作が生じると、当該入力キーに割り当てられた複数の文字の内の他の文字に切り替える処理手段と、を備えた携帯端末における文字変換方法であって、
　前記入力キーが長操作されると、入力される所定の入力文字を当該所定の入力文字に関連する文字に変換して入力する過程を含むことを特徴とする文字変換方法。」
　
　また、両者は次の点で相違する。
＜相違点１＞
　本願補正発明では、「入力キー」に「複数のかな文字」が割り当てられ、入力キーの操作によって入力された「入力かな文字」を、さらなる当該入力キーの短操作が生じると、当該入力キーに割り当てられた複数の「かな文字」の内の他の「かな文字」に切り替えるものであって、さらに、前記「入力キー」が長操作されると、入力される所定の「入力かな文字」を「当該所定の入力かな文字を基礎とする関連かな文字」に変換して入力するのに対し、引用発明では「２から９の数字キー」に関連付けられた文字は「かな文字」ではなく「３つ以上のアルファベット文字」であり、数字キーが、文字ケースしきい値の時間より短い時間押下される、すなわち短操作が生じると選択された「アルファベット文字」を数字キーが押された回数に基づいて置き換えるものであり、さらに、前記数字キーが文字ケースしきい値の時間押したまま保持される、すなわち長操作されると「システムは現在のアルファベット文字の文字ケースを変更」するものである点。
　
　そこで、上記相違点について検討すると、
＜相違点１＞について：
　携帯端末装置において、アルファベットに加えてかな文字を入力可能とするとともに、入力したアルファベットを小文字に変換する操作と同じ操作によって、入力したかな文字を小書き仮名へ変換する技術は、例えば、特開２００１−７５７０８号公報第【００６０】段落に、「機能キー５６には、入力した母音や「ヤ」、「ユ」、「ヨ」を小文字「ァ」、「ィ」、「ゥ」、「ェ」、「ォ」、「ャ」、「ュ」、「ョ」に変換したり、アルファベットを小文字に変換する小文字機能が設定されている。」と記載され、特開２０００−１６５４９９号公報第【００１４】段落に「この発明の携帯電話機において、好ましくは、仮名文字入力モードにおいて、キートップが同一の接点に一定時間以内に二回接触した場合に、当該接点に対応する文字の、促音または拗音を表す小さな文字を入力することが望ましい。」と記載され、第【００１６】段落に「この発明の携帯電話機において、好ましくは、英字入力モードにおいて、キートップが同一接点に一定時間以内に一回接触した場合に、当該接点に対応する英字の大文字を入力し、キートップが同一接点に一定時間以内に二回接触した場合に、当該接点に対応する英字の小文字を入力することが望ましい」と記載されるように、周知技術である。
　よって、引用発明に上記周知技術を採用し、引用発明の「数字キー」に「複数のかな文字」を割り当てるようにし、数字キーが文字ケースしきい値の時間より短い時間押下される、すなわち短操作が生じると数字キーに割り当てられた「複数のかな文字」の内の他の「かな文字」に切り替えるとともに、さらに、数字キーが文字ケースしきい値の時間押したまま保持される、すなわち長操作されると現在の「かな文字」を小書き仮名、すなわち、現在の「かな文字」を基礎とする関連するかな文字へ変換して入力することで相違点１に係る構成とすることは、当業者が容易になし得たことである。
　
　また、本願補正発明の奏する作用効果も、引用発明及び周知技術から当業者が予測しうる程度のものである。
　
　以上のとおり、本願補正発明は、引用発明及び周知技術に基づいて、当業者が容易に発明をすることができたものである。
　
４．むすび
　以上のとおり、本願補正発明は、特許法第２９条第２項の規定により、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について 
１．本願発明 
　平成２３年８月２２日付けの手続補正は上記のとおり却下されたので、本願の請求項１〜７に係る発明は、平成２２年２月１６日付けの手続補正書により補正された特許請求の範囲の請求項１〜７に記載されたとおりのものであるところ、請求項７に係る発明（以下、「本願発明」という。）は、次のとおりのものである。 
　「複数の文字が割り当てられた文字入力可能な入力キーと、
　前記入力キーの操作によって入力された入力文字を、さらなる当該入力キーの短操作が生じると、当該入力キーに割り当てられた複数の文字の内の他の文字に切り替える処理手段と、を備えた携帯端末における文字変換方法であって、
　前記入力キーが長操作されると、入力される所定の入力文字を当該所定の入力文字を基礎とする関連文字に変換して入力する過程を含むことを特徴とする文字変換方法。」
　
２．引用刊行物の記載事項 
　本願出願前に頒布された引用例およびその記載事項は、上記「第２［理由］」中の「２．引用発明」の項に示したとおりである。
　
３．対比・判断 
　本願発明と引用発明とを対比する。
（３−１）引用発明の「携帯電話」は本願発明の「携帯端末」に相当する。
（３−２）引用発明の「キーパッド１１８を用いたテキスト情報の入力が可能である」点、「キーパッド１１８は０から９の数字の付された１０個の数字キーを含んで」いる点、及び、「２から９の数字キーにはそれぞれ３以上のアルファベット文字が関連付けられ」ている点は、本願発明の「複数の文字が割り当てられた文字入力可能な入力キー」に相当する。
（３−３）引用発明の「２から９の数字キーにはそれぞれ３つ以上のアルファベット文字が関連付けられ」ている点、「データそれ自身は、所望の数字又はアルファベット文字に関連付けられたキーパッド１１８の数字キーを１回以上アクティベートすることによって入力」される点、及び、「ユーザが所望の数字キーを短い時間間隔で続けて複数回押すと、システム１００は選択されたアルファベット文字を数字キーが押された回数に基づいて置き換え」る点は、本願発明の「前記入力キーの操作によって入力された入力文字を、さらなる当該入力キーの短操作が生じると、当該入力キーに割り当てられた複数の文字の内の他の文字に切り替える」に相当する。
（３−４）引用発明の「システム１００」は本願発明の「処理手段」に相当する。
（３−５）引用発明の「ユーザが数字キーを文字ケースしきい値の時間押したまま保持した場合、システムは現在のアルファベット文字の文字ケースを変更」する点、及び、「ユーザが数字キー２を押下げて、押下げた位置で文字ケースしきい値より大きい時間保持することができ、この場合、ディスプレイ１２２は大文字の「Ａ」を表示」する点は、本願発明の「前記入力キーが長操作されると、入力される所定の入力文字を当該所定の入力文字を基礎とする関連文字に変換して入力する」に相当する。
　
　したがって、両者は、
　
　「複数の文字が割り当てられた文字入力可能な入力キーと、
　前記入力キーの操作によって入力された入力文字を、さらなる当該入力キーの短操作が生じると、当該入力キーに割り当てられた複数の文字の内の他の文字に切り替える処理手段と、を備えた携帯端末における文字変換方法であって、
　前記入力キーが長操作されると、入力される所定の入力文字を当該所定の入力文字を基礎とする関連文字に変換して入力する過程を含むことを特徴とする文字変換方法。」
　
である点で一致し、相違点はない。
　
　よって、本願の請求項７に係る発明は引用例に記載された発明である。
　
４．むすび 
　以上のとおり、本願の請求項７に係る発明は、特許法第２９条第１項第３号の規定により特許を受けることができない。
　したがって、その余の請求項について論及するまでもなく、本願は拒絶すべきものである。
　 
　よって、結論のとおり審決する。